(57)【要約】【課題】  戸建住宅、集合住宅、体育館又は多目的ホール等の床下地に用いられる大引材の大引材連結構造に関し、大引材の取付けが容易に行えて施工性に優れ、また形態が簡素で経済性にも優れた大引材連結構造を提供することを課題とする。【解決手段】  高さ調整機能を有する床支持脚２と、この床支持脚の上部に断面ハット型からなる大引材４を連結する連結構造において、上記床支持脚の上部に設けられ上記大引材を支持する大引受部材６には、平板の一端部側にコの字状に屈曲した屈曲部３０を設ける一方、これと対向する他端部側に上方へ屈曲する立設片３２を設け、上記大引受部材の屈曲部３０に上記大引材の一方のフランジ部３８を嵌入し、もう一方のフランジ部３８は上記立設片３２内に載置してビス４４止めし、上記大引材を上記大引受部材に連結した構成である。【選択図】  図１
2008144453.tif 000002
【特許請求の範囲】
【請求項１】
高さ調整機能を有する床支持脚と、この床支持脚の上部に断面ハット型からなる大引材を連結する連結構造において、
上記床支持脚の上部に設けられ上記大引材を支持する大引受部材には、平板の一端部側にコの字状に屈曲した屈曲部を設ける一方、これと対向する他端部側に上方へ屈曲する立設片を設け、上記大引受部材の屈曲部に上記大引材の一方のフランジ部を嵌入し、もう一方のフランジ部は上記立設片内に載置してビス止めし、上記大引材を上記大引受部材に連結したことを特徴とする大引材連結構造。
【請求項２】
上記大引受部材の立設片の内側に、上記もう一方のフランジ部を係止させる係止凸部を形成したことを特徴とする請求項１記載の大引材連結構造。
【請求項３】
上記床支持脚の大引受部材の下部に、床荷重を弾性支持する緩衝装置を設けたことを特徴とする請求項１又は２記載の大引材連結構造。
【発明の詳細な説明】
【技術分野】
【０００１】
本発明は、戸建住宅、集合住宅、体育館又は多目的ホール等の床下地に用いられる大引材の大引材連結構造に関する。
【背景技術】
【０００２】
一般に体育館等の床下地は、大引材の支持機構（束）により支持された大引材の上に根太を配置して床板等を敷設する構造であり、また充分な運動性能が発揮できるよう大引材を緩衝部材で支持する構造を採用して弾力性能の良い床構造を構築している。従来から使用されている木製の大引材は反りなどの変形が生じやすいことから、形状の安定性に優れた鋼製大引材の使用が増えている。上記鋼製の大引材として断面ハット型のものがあり、この大引材は下部左右にフランジ部が設けられ、これらフランジ部を上記支持機構に取り付けて固定する。
【０００３】
従来、上記大引材を束に取り付ける構造として、特許文献１には図６に示す大引材の連結構造が開示されている。この連結構造は、束金物１００に、地盤から起立する支持ボルト１０１の上端に大引受け板１０２を取り付け、この大引受け板１０２の両側中央から支持片１０３を切起こし、他の相対向する縁部から拘束突起１０４を立ち上げたものである。
【０００４】
上記大引受け板１０２の屈曲部１０６には、幅狭の弾性変形部１０７を介して係止片１０８および案内片１０９が形成された板バネ１１０を固着している。ここで、底面が開口したほぼ矩形状中空断面をもつ鋼製大引材１１４を上記束金物１００に挿し込むと、鋼製大引材１１４の着座片１１６が支持片１０３と拘束突起１０４との間に嵌まり込み、案内片１０９に係合片１１８が噛合うことにより鋼製大引材１１４が束金物１００に連結される。このように、鋼製大引材をワンタッチで束金物に取り付けることができるというものである。
【０００５】
また特許文献２には、大引材の受部の両サイドから側壁部を立ち上げて被係合部を設け、鋼製大引材に設けた係合部を上記被係合部に係止させる構造の、ビスを用いない鋼製大引材の支持構造が記載されている。特許文献３には、大引材を受け止める受け金具の取り替えが可能な大引受けが記載されている。
【０００６】
【特許文献１】特開２００２−２１２３８
【特許文献２】特開２０００−２３０２９２
【特許文献３】特開２００３−２３９４３４
【発明の開示】
【発明が解決しようとする課題】
【０００７】
さて上記大引材の連結構造では、ワンタッチで鋼製大引材を束金物に連結することができるが、両者が噛合いによって係着する形態であるため、束金物の大引受け板および鋼製大引材の両者の噛合い構造が複雑であり、このため製品の製造コスト及び生産性の点で不利であり、また音鳴りも懸念されるという問題がある。また、特許文献２の鋼製大引材の支持構造についても、特殊な形状で鋼製大引材の両側壁を弾性装着する形態であるため、汎用性がなくまた経済性及び音鳴りについても問題がある。
【０００８】
本発明は上記問題点を解決するためになされたものであり、大引材の取付けが容易に行えて施工性に優れ、また形態が簡素で経済性にも優れた大引材連結構造を提供することを目的とする。
【課題を解決するための手段】
【０００９】
以上の技術的課題を解決するため、本発明に係る大引材連結構造は、図１等に示すように、高さ調整機能を有する床支持脚２，５２と、この床支持脚の上部に断面ハット型からなる大引材４を連結する連結構造において、上記床支持脚の上部に設けられ上記大引材を支持する大引受部材６，５３には、平板の一端部側にコの字状に屈曲した屈曲部３０を設ける一方、これと対向する他端部側に上方へ屈曲する立設片３２を設け、上記大引受部材の屈曲部３０に上記大引材の一方のフランジ部３８を嵌入し、もう一方のフランジ部３８は上記立設片３２内に載置してビス４４止めし、上記大引材を上記大引受部材に連結した構成である。
【００１０】
本発明に係る大引材連結構造は、上記大引受部材６，５３の立設片３２の内側に、上記もう一方のフランジ部３８を係止させる係止凸部３４を形成した構成である。
【００１１】
本発明に係る大引材連結構造は、上記床支持脚５２の大引受部材５３の下部に、床荷重を弾性支持する緩衝装置５５を設けた構成である。
【発明の効果】
【００１２】
本発明に係る大引材連結構造によれば、大引受部材には、平板の一端部側に屈曲部を設ける一方、これと対向する他端部側に立設片を設け、大引材の連結に際しては、屈曲部に大引材の一方のフランジ部を嵌入し、もう一方のフランジ部は、大引受部材の立設片内に載置してビス止めした構成を採用したから、断面ハット型の大引材の大引材連結構造に係る大引受部材への取り付けが間便に行えて施工性に優れ、また大引材も断面ハット形状のものに対応し、加えて簡素な取り付け形態であることからコストダウンが図れて経済性にも優れるという効果がある。
【００１３】
本発明に係る大引材連結構造によれば、大引受部材の立設片の内側に、もう一方のフランジ部を係止させる係止凸部を形成したから、大引材が大引受部材に仮固定されて連結作業が迅速に行え作業性に優れるという効果がある。
【００１４】
本発明に係る大引材連結構造によれば、床支持脚の大引受部材の下部に、床荷重を弾性支持する緩衝装置を設けたから、運動スポーツ施設として良好な緩衝性を有する床が得られるという効果がある。
【発明を実施するための最良の形態】
【００１５】
以下、本発明に係る大引材連結構造の実施の形態を図面に基づいて説明する。
図１は、上記大引材連結構造を採用した床支持脚２を示したものである。この床支持脚２は、例えば戸建用の床の床下地に用いられる。この床支持脚２は、高さ調整機能を有し上部には大引受部材６を設けて、断面ハット型の大引材４を連結する大引材連結構造を構成している。
【００１６】
上記床支持脚２は、床スラブとしての基礎面１０に固定されるベース板１２にターンバックル１４が立設されている。このターンバックル１４は、中央部に筒体２０が設けられ、この筒体２０の上下の一方側には右ネジ孔が、また他方側には左ネジ孔がそれぞれ設けられている。これら各ネジ孔にはそれぞれロッド２２，２３が螺着され、各ロッド２２，２３にはそれぞれワッシャ２４を介在させたナット２６，２７が締結されている。また、上記筒体２０の中央部には断面が四角形状の操作部２８が設けられている。この操作部２８を回すことで、ロッド２２，２３の長さを変えることができる。
【００１７】
図２に示すように、上記大引受部材６は矩形状の鋼板からなり、この大引受部材６の平板部３１の一端部側には内側にコの字状に屈曲形成した屈曲部３０が設けられ、これと向かい合う他端部側には上方に屈曲形成した立設片３２が設けられている。さらに、上記立設片３２の内側の左右にはそれぞれ係止凸部３４が形成されている。上記立設片３２には係止凸部３４が２箇所設けられているが、これは１箇所、或いは３箇所であっても良い。
【００１８】
上記大引受部材６の上面部には弾性板材８が接着されている。この弾性板材８は、ゴム、合成樹脂等の弾性材からなる。上記ベース板１２は鋼板からなり、中央部には上方に膨出したボス部３６が設けられている。大引材４は鋼板を断面ハット型に屈曲形成したものであり、フランジ部３８、側面部４０及び上面部４２からなる長尺材である。
【００１９】
上記床支持脚２は、上記ターンバックル１４の上部側のロッド２２に上記大引受部材６が固定され、下部側のロッド２３に上記ベース板１２が固定されたものである。上記上部側のロッド２２の上端部は、上記大引受部材６の中央部に設けられたボス部３７に、溶着あるいはカシメ加工により接合され、また下部側のロッド２３の下端部は、上記ベース板１２のボス部３６に溶着あるいはカシメ加工により接合されている。上記床支持脚２の高さ調整は、上記ターンバックル１４により行う。
【００２０】
ここで、上記床支持脚２を用いた戸建用住宅又は集合住宅等の床の施工について説明する。まず、館内の床の基礎面１０に上記床支持脚２を所定の間隔で配置し、ベース板１２を接着剤或いは止着ピンなどを用いて基礎面１０に固定する。各床支持脚２の高さ調整に際しては、ターンバックル１４のナット２６，２７を緩め、工具等を用いて操作部２８を回して高さを加減し、所望する位置でナット２６，２７を締める。
【００２１】
そして、各床支持脚２間に大引材４を配置し、床支持脚２の大引受部材６に弾性板材８を介して大引材４を連結固定する。この連結に際しては、大引材４のフランジ部３８，３８の一方を大引受部材６の屈曲部３０に差し込み嵌入する。この一方のフランジ部３８を嵌入させると、他方のフランジ部３８は大引受部材６の立設片３２の内側に当たる状態となり、この状態で他方のフランジ部３８を大引受部材６の立設片３２の内側に沿って下方に押圧する。すると大引材４のバネ力でフランジ部３８が内側に狭められ、上記他方のフランジ部３８の端部は係止凸部３４，３４の部位を通過し、フランジ部３８はバネ復帰により係止凸部３４，３４の下部位置で係止される。
【００２２】
このとき大引材４のフランジ部３８，３８は、大引受部材６の平板部３１の上部の弾性板材８に載置された状態で、その一方側は大引受部材６の屈曲部３０に嵌入係合し、また他方側は係止凸部３４，３４に係止して弾性板材８を介して大引受部材６に仮止めされる。そして上記他方のフランジ部３８に、下穴あけが可能なドリルビス等のビス４４をねじ込み大引受部材６に螺着し、大引材４を固定する。このように床支持脚２への大引材４の取り付けは、大引材４の大引受部材６への差し込み、嵌めこみ、ビス止めの簡単な作業で行える。
【００２３】
したがって大引材４は、フランジ部３８，３８を大引受部材６に係合係止するのみで簡単に大引受部材６への仮固定が行え、かつこの状態でビスの止着が行えるので作業性が良い。通常、大引材４は左右のフランジ部３８，３８の両方ともビス等の止着具を用いて固定するが、この実施の形態では一方のフランジ部３８のみをビス４４で固定することにより取り付けが完了するので施工が簡単かつ迅速に行える。なお、上記立設片３２の係止凸部３４は、大引材４のフランジ部３８を係止させるものであるが、この係止凸部３４のない形態であっても、上記ビス４４止めによりフランジ部３８を大引受部材６へ固定することが可能である。
【００２４】
大引材４を固定した後は、必要に応じてターンバックル１４を操作して高さ調整（補正）を行う。次に、上記配置した大引材４の上部に、床材４６等を配置して床下地を仕上げる。
【００２５】
このように上記大引材連結構造によれば、大引材連結構造への断面ハット型の大引の取り付けが簡便に行えて施工性が良く、また大引材も断面ハット形状のものに対応していることからコストダウンが図れて経済的であり、取り付け形態も簡素であることから例えば住宅施設などに好適である。併せて、弾性板材によりきしみ音の防止、及び遮音、防音効果が得られる。
【００２６】
次に、他の実施の形態に係る大引材連結構造について説明する。
図３は、上記大引材連結構造を採用した床支持脚５２を示したものである。この床支持脚５２は、運動室、体育館などのスポーツフロア等の床下地において、断面ハット型の大引材の固定を容易にし、併せて緩衝特性を持たせて安全に運動競技が行えるようにしたものである。上記床支持脚５２は、大引材連結構造を構成する大引受部材５３、この大引受部材５３を弾性保持する緩衝装置５５及びこれを支持する支持台５４からなる。
【００２７】
上記緩衝装置５５は図４に示すように、支持ボルト５６、ナット部材５８、バネ座金６０、支持部材６２、緩衝部材６４、筒状スペーサ６６、大引受部材５３、弾性板材８及び平ワッシャ７２を有する。上記大引受部材５３には弾性板材８を介して大引材４が載置され、この大引材４は大引受部材５３とともに上記緩衝部材６４により弾性支持される。
【００２８】
上記支持台５４は、床スラブとしての基礎面１０に固定されるベース板７８、円筒状の支持脚８０およびこの支持脚８０の上部に固定され中央に螺子孔８１が設けられた受け部８２を有する。上記緩衝装置５５は、その支持ボルト５６にバネ座金６１を介在させナット部材５９で上記支持台５４に固定される。上記緩衝装置５５の支持ボルト５６は、六角形（他に四角形など有）の頭部８６及び全体に螺子溝が刻設された軸部８４からなる。上記ナット部材５８，５９は、外形が六角形（他に四角形など有）である。上記バネ座金６０は、環状の鋼製バネを利用したスプリングワッシャである。
【００２９】
上記支持部材６２は円形の鋼板からなり、中央には上記支持ボルト５６の軸部８４が挿通可能な円形の孔部８８が設けられている。この支持部材６２は、上記筒状スペーサ６６の下端部を当接させるため、その孔部８８の径は筒状スペーサ６６の外径より小さく形成されている。
【００３０】
上記緩衝部材６４はゴム、合成樹脂等の弾性材からなり、中央には軸方向に貫通する孔部９０が設けられた中空円柱状の部材である。上記筒状スペーサ６６は円筒状の鋼材からなる。この筒状スペーサ６６は、上記緩衝部材６４の孔部９０に緩く挿入できる程度に外径が形成されている。
【００３１】
上記大引受部材５３は矩形状の鋼板からなり、中央部には上記筒状スペーサ６６が挿通可能な円形の孔部９２が設けられている。この大引受部材５３の平板部３１の一端部側には内側にコの字状に屈曲形成した屈曲部３０が形成され、これと向かい合う他端部側には上方に屈曲形成した立設片３２が設けられている。さらに、上記立設片３２の内側の左右にはそれぞれ係止凸部３４が形成されている。ここでは、立設片３２に係止凸部３４を２箇所設けたが、これは１箇所、或いは３箇所であっても良い。
【００３２】
上記弾性板材８は、ゴム、合成樹脂等の弾性材からなる矩形状の薄い板材であり、中央部には上記筒状スペーサ６６が挿通可能な円形の孔部７１が設けられている。上記平ワッシャ７２は、その孔部が上記筒状スペーサ６６の外径より小さく形成されており、平ワッシャ７２の下面部に筒状スペーサ６６の上端部が当接する。また、平ワッシャ７２は、外径が上記弾性板材８の孔部７１より大きく形成されている。
【００３３】
上記筒状スペーサ６６の高さ寸法は、上記緩衝部材６４の高さと、上記大引受部材５３及び弾性板材８の両板厚を加えた寸法と同程度である。このため、支持ボルト５６を上記各部材に挿通し、この支持ボルト５６の頭部８６（平ワッシャ７２を介在）と上記支持部材６２との間に筒状スペーサ６６を挟んでナット部材５８で締結したとき、この筒状スペーサ６６により、上記大引受部材５３の厚さ寸法と、上記緩衝部材６４及び弾性板材８が弾性収縮する前の高さ（及び厚さ）寸法とを加えた間隔が確保される。
【００３４】
したがって、上記筒状スペーサ６６により、緩衝部材６４が介在する支持部材６２と支持ボルト５６の頭部８６との間の間隔が制限され、ナット部材５８を支持ボルト５６に締め付けても緩衝部材６４は圧縮されることがなく、安定した緩衝機構が形成され良好な緩衝特性が得られる。また、支持ボルト５６及び筒状スペーサ６６の回転に対して、大引受部材５３の空回り機構が形成され、大引受部材５３が止まった状態で支持ボルト５６等を相対回転することが可能となる。
【００３５】
次に、上記床支持脚５２の組立てについて説明する。
この床支持脚５２の緩衝装置５５は、図４に示すように支持ボルト５６に順に、平ワッシャ７２、上面部に弾性板材８が接着された大引受部材５３、筒状スペーサ６６、緩衝部材６４、支持部材６２及びバネ座金６０の各孔部を挿通させ、ナット部材５８でこれらの部材を締結したものである。ここで、上記弾性板材８、大引受部材５３及び緩衝部材６４は、筒状スペーサ６６に挿通された状態で支持ボルト５６に嵌め込まれている。
【００３６】
上記ナット部材５８の締結により、上記筒状スペーサ６６は支持ボルト５６の頭部８６に介在された平ワッシャ７２と支持部材６２の上面部に挟持される。このとき、各部材（ナット部材５８、バネ座金６０、支持部材６２、筒状スペーサ６６、平ワッシャ７２及び支持ボルト５６）は、それぞれ互いの当接部に静止摩擦力が発生して各部材が一体化され固定される。さらに上記バネ座金６０は、ナット部材５８の締結により、常に支持ボルト５６、平ワッシャ７２、筒状スペーサ６６及び支持部材６２を互いに付勢力を伴って当接させ、各部材間に強い静止摩擦力を作用させており、このバネ座金６０を用いない場合に比べて確実に各部材の一体化が図れる。
【００３７】
上記緩衝装置５５は、支持部材６２で緩衝部材６４と筒状スペーサ６６と支持し、かつこの緩衝部材６４により大引受部材５３が弾性支持され、大引受部材５３はその軸芯となる筒状スペーサ６６に上下移動可能に嵌め込まれている。床の支持機構として、緩衝装置５５の緩衝部材６４は、通常時（床からの荷重が無い状態）は弾性変形は生じないが、運動等に床からの荷重が大引材４を介して大引受部材５３に加わった場合には、緩衝部材６４は大引受部材５３に押し下げられて弾性変形する。
【００３８】
次に、上記緩衝装置５５を支持台５４に螺合する。このとき、支持ボルト５６の軸部８４にナット部材５９を螺入しさらにバネ座金６１を嵌め、この軸部８４を上記支持台５４の受け部８２の螺子孔８１に螺入する。この状態で、上記支持ボルト５６に締結されたナット部材５８を工具等で回すと、これと連動して支持ボルト５６はバネ座金６０、支持部材６２、筒状スペーサ６６、平ワッシャ７２とともに一体に回転する。このように上記床支持脚５２では、上記支持ボルト５６などに対して大引受部材５３の空回り機構が構成される。
【００３９】
上記緩衝部材６４は形状が簡素化され、かつ単に緩衝装置５５に組み付けて使用されるものであるため交換等が容易に行える。このため、他の弾力性の異なる緩衝部材６４への変更、緩衝部材６４の高さサイズの変更（筒状スペーサ６６の高さサイズも同様に変更）或いは外径等の変更により、緩衝特性の調整を容易に行うことができて汎用性に優れる。また、上記支持台５４についても、上記緩衝装置５５の支持ボルト５６が螺入可能な形態であれば、この支持台５４に限らず他の既製の支持台を用いて大引材連結構造を構成することが可能である。
【００４０】
ここで、上記床支持脚５２を用いた体育館或いは学童用の体育室等の床の施工について説明する。まず、館内の床の基礎面１０に上記床支持脚５２を所定の間隔で配置し、支持台５４のベース板７８を接着剤或いは止着ピンなどを用いて基礎面１０に固定する。そして必要に応じて床支持脚５２の高さを調整する。このとき、床支持脚５２のナット部材５９を緩め、工具等を用いて支持ボルト５６を回して緩衝装置５５の高さを加減し、所望する位置でナット部材５９を締めて緩衝装置５５を支持台５４に固定する。
【００４１】
次に、各床支持脚５２にわたって大引材４を配置し固定する。
ここで、図５に基づき、上記大引材４を床支持脚５２に取り付ける方法について説明する。この大引材４は断面ハット型であり、図５（ａ）に示すように、下部左右のフランジ部３８，３８の一方を大引受部材５３の屈曲部３０に差し込んで係合させる。
【００４２】
この一方のフランジ部３８を係合させると、図５（ｂ）に示すように、他方のフランジ部３８は大引受部材５３の立設片３２の内側に当たる状態となり、この状態で他方のフランジ部３８を大引受部材５３の立設片３２の内側に沿って下方に押圧する。すると大引材４のバネ力でフランジ部３８が内側に狭められ、上記他方のフランジ部３８の端部は係止凸部３４，３４の部位を通過し、図５（ｃ）に示すようにフランジ部３８は、バネ復帰により係止凸部３４，３４の下部位置で係止される。
【００４３】
このとき大引材４のフランジ部３８，３８は、大引受部材５３の平板部３１の上部の弾性板材８に載置された状態で、その一方側は大引受部材５３の屈曲部３０に係合し、また他方側は係止凸部３４，３４に係止して弾性板材８を介して大引受部材５３に固定される。そして上記他方のフランジ部３８に、下穴あけが可能なドリルビス等のビス４４をねじ込み大引受部材５３に螺着し、大引材４を固定する。このように床支持脚５２への大引材４の取り付けは、大引材４の大引受部材５３への差し込み、嵌めこみ、ビス止めの簡単な作業で行える。
【００４４】
したがって大引材４は、フランジ部３８，３８を大引受部材５３に係合係止するのみで簡単に大引受部材５３への仮固定が行え、かつこの状態でビスの止着が行えるので作業性が良い。通常、大引材４は左右のフランジ部３８，３８の両方ともビス等の止着具を用いて固定するが、この実施の形態では一方のフランジ部３８のみをビス４４で固定することにより取り付けが完了するので施工が簡単かつ迅速に行える。
【００４５】
大引材４を固定した後は、支持ボルト５６の頭部８６は大引材４内に隠れるので工具の使用はできない。しかし上記床支持脚５２では、大引材４を固定した後に床支持脚５２の高さの調整（微調整）が必要となった場合には、緩衝装置５５を支持台５４に固定したナット部材５９を緩め、併せて工具を用いて緩衝装置５５のナット部材５８を回すとこれと一体に支持ボルト５６も回ることから、緩衝装置５５の高さ調整の補正が可能となる。このとき、大引受部材５３に対して支持ボルト５６等は相対回転する。
【００４６】
そして、上記緩衝装置５５（大引材４）を所望する高さ位置に調節した後、ナット部材５９を締め付けて緩衝装置５５を支持台５４に固定する。このように、上記実施の形態に係る床支持脚５２ではナット部材５８を支持ボルト５６の回転手段として用い、このナット部材５８を回すことで床支持脚５２の高さ調整を可能にしている。
【００４７】
次に、上記配置した大引材４の上部に、これと直交する方向に鋼製の断面ハット型の根太９４を配置する。上記根太９４と大引材４との間には、防振・防音用の弾性材としてゴム板９３を介在させ、ビス等を用いて根太９４を大引材４に固定する。上記根太９４の上部には捨板としての合板９６を配置し、この上にフローリング材９８を取り付けて仕上げる。
【００４８】
このように上記実施の形態によれば、大引材連結構造への断面ハット型の大引の取り付けが一方のフランジ部のみへのビス止着により簡便に行えて施工性が良く、また大引材連結構造は形態が簡素化され、大引も断面ハット形状のものに対応していることからコストダウンが図れて経済的であり、例えば軽体育施設などにも好適である。
【００４９】
また上記大引材連結構造は、運動スポーツ施設として良好な緩衝性を有する床が得られるとともに、支持台を固定し大引を取り付けた後であっても、支持ボルトに対する大引受部材の空回り機構により高さ調整（補正）が可能であり、このためレベルの微調整が容易に行えることから施工精度と施工性の向上が図れる。併せて、弾性板材によりきしみ音の防止、及び遮音、防音効果が得られる。
【００５０】
また大引材連結構造を各部材同士の組立て形式としたため、緩衝部材などが簡単に組み込めることから、スポーツの種類に応じて、この緩衝部材の材質の変更、高さ寸法などの変更等により容易に緩衝特性の調整変更が行なえて汎用性に富み、また緩衝装置はその支持ボルトが螺入可能なあらゆるタイプの支持台との組合せに対応でき、コストダウンが図れる。
【図面の簡単な説明】
【００５１】
【図１】本発明の実施の形態に係る大引材連結構造を採用した床支持脚を示す図である。
【図２】床支持脚に係る大引受部材などを示す斜視図である。
【図３】他の実施の形態に係る大引材連結構造を採用した床支持脚を示す図である。
【図４】床支持脚に係る緩衝装置の分解図である。
【図５】大引材連結構造への大引材の取付け手順を示す図であり、（ａ）は大引受部材の屈曲部へ大引材のフランジ部を嵌め入れる状態を、（ｂ）はフランジ部を大引受部材へ嵌めて係止させる状態を、（ｃ）はフランジ部をビス止めした状態を示す。
【図６】従来例に係る鋼製大引の連結構造を示す図である。
【符号の説明】
【００５２】
２，５２  床支持脚
４  大引材
６，５３  大引受部材
３０  屈曲部
３２  立設片
３４  係止凸部
３８  フランジ部
４４  ビス
５５  緩衝装置
【図１】
2008144453.tif 000003
【図２】
2008144453.tif 000004
【図３】
2008144453.tif 000005
【図４】
2008144453.tif 000006
【図５】
2008144453.tif 000007
【図６】
2008144453.tif 000008